(57)【要約】【課題】データの交換を広く行えるようにする。【解決手段】擬似的なアルバムを表示するためのアルバムデータから、そのアルバムの１ページ分にあたるデータ毎に、データを抽出し、それぞれのページの順序が識別できるようなＩＤが割り振られる。１ページ毎のデータは、ＪＰＥＧ方式で圧縮される。一方、ページをめくる毎に、そのページがめくられているということをアニメーションで表現するためのデータがＦｌａｓｈ方式のデータとして作成される。ＪＰＥＧ方式で圧縮されたデータと、Ｆｌａｓｈ方式のデータが、１まとまりのデータとされたＦｌａｓｈファイルが作成される。本発明は、デジタルデータの画像データを扱うパーソナルコンピュータなどに適用できる。【選択図】　　　図１２
2004104360.tif 000002
【特許請求の範囲】
【請求項１】
複数のページから構成されるコンテンツの第１のコンテンツデータから、１ページ毎の前記第１のコンテンツデータを切り出す切り出し手段と、
前記切り出し手段により切り出された前記１ページ分の第１のコンテンツデータ毎に、前記ページの前後関係を識別するための情報を付加する付加手段と、
前記付加手段により前記情報が付加された前記１ページ分の第１のコンテンツデータを所定の変換方式で第２のコンテンツデータに変換する変換手段と、
所定の前記ページから他の前記ページへ表示が切り換えられることを動的に表現するためのデータを生成する生成手段と、
前記変換手段により変換された前記第２のコンテンツデータと、前記生成手段により生成された前記データから構成される第３のコンテンツデータを作成する作成手段と
を含むことを特徴とする情報処理装置。
【請求項２】
前記変換手段の変換方式は、ＪＰＥＧである
ことを特徴とする請求項１に記載の情報処理装置。
【請求項３】
前記生成手段により生成される前記データは、Ｆｌａｓｈ方式のデータである
ことを特徴とする請求項１に記載の情報処理装置。
【請求項４】
前記作成手段により作成される前記第３のコンテンツデータは、Ｆｌａｓｈ方式のデータである
ことを特徴とする請求項１に記載の情報処理装置。
【請求項５】
前記作成手段により作成された前記第３のコンテンツデータを電子メールで送信できるフォーマットに変換する第２の変換手段と、
前記第２の変換手段により変換された前記第３のコンテンツデータを電子メールとして他の装置に送信する送信手段と
をさらに含むことを特徴とする請求項１に記載の情報処理装置。
【請求項６】
前記作成手段により作成された前記第３のコンテンツデータを所定のサーバにアップロードするアップロード手段を
さらに含むことを特徴とする請求項１に記載の情報処理装置。
【請求項７】
前記生成手段により生成される前記データは、ＤＶＤ記録再生装置で記録再生できるデータであり、
前記作成手段により作成される前記第３のコンテンツデータは、ＤＶＤ記録再生装置で記録再生できるデータである
ことを特徴とする請求項１に記載の情報処理装置。
【請求項８】
複数のページから構成されるコンテンツの第１のコンテンツデータから、１ページ毎の前記第１のコンテンツデータを切り出す切り出しステップと、
前記切り出しステップの処理で切り出された前記１ページ分の第１のコンテンツデータ毎に、前記ページの前後関係を識別するための情報を付加する付加ステップと、
前記付加ステップの処理で前記情報が付加された前記１ページ分の第１のコンテンツデータを所定の変換方式で第２のコンテンツデータに変換する変換ステップと、
所定の前記ページから他の前記ページへ表示が切り換えられることを動的に表現するためのデータを生成する生成ステップと、
前記変換ステップの処理で変換された前記第２のコンテンツデータと、前記生成ステップの処理で生成された前記データから構成される第３のコンテンツデータを作成する作成ステップと
を含むことを特徴とする情報処理方法。
【請求項９】
複数のページから構成されるコンテンツの第１のコンテンツデータから、１ページ毎の前記第１のコンテンツデータを切り出す切り出しステップと、
前記切り出しステップの処理で切り出された前記１ページ分の第１のコンテンツデータ毎に、前記ページの前後関係を識別するための情報を付加する付加ステップと、
前記付加ステップの処理で前記情報が付加された前記１ページ分の第１のコンテンツデータを所定の変換方式で第２のコンテンツデータに変換する変換ステップと、
所定の前記ページから他の前記ページへ表示が切り換えられることを動的に表現するためのデータを生成する生成ステップと、
前記変換ステップの処理で変換された前記第２のコンテンツデータと、前記生成ステップの処理で生成された前記データから構成される第３のコンテンツデータを作成する作成ステップと
をコンピュータに実行させることを特徴とするプログラム。
【発明の詳細な説明】
【０００１】
【発明の属する技術分野】
本発明は情報処理装置および方法、並びにプログラムに関し、特に、所定の装置で作成されたデータを基に処理された結果が、他の装置でもほぼ同様の結果が得られるように、データを変換する際に用いて好適な情報処理装置および方法、並びにプログラムに関する。
【０００２】
【従来の技術】
近年、パーソナルコンピュータが普及し、さまざまなユーザがさまざまな用途で、そのパーソナルコンピュータを利用するようになってきている。パーソナルコンピュータの性能も向上し、例えば、動画像や静止画像など、比較的重いデータも快適に扱えるようになってきている。
【０００３】
動画像や静止画像を加工する機能も向上し、例えば、静止画像を指定された動作パターンに従って加工し、所定の動画像と合成するといった機能も提案されている（例えば、特許文献１参照）。
【０００４】
【特許文献１】
特開２００２―２２３３８９号公報（第２−７頁参照）
【０００５】
【発明が解決しようとする課題】
ユーザが所望していることを実現するために、さまざまアプリケーションが提供されると、アプリケーション毎にフォーマット方式が存在し、例えば、ユーザＡがアプリケーションＡで作成したデータを、ユーザＢがアプリケーションＢで再生しようとしてもできないといった問題があった。
【０００６】
例えば、上述したように、静止画像を指定された動作パターンに従って加工し、所定の動画像と合成するといった処理により作成されたデータは、その作成に用いられたアプリケーションでなければ再生するといったことができなかった。
【０００７】
本発明はこのような状況に鑑みてなされたものであり、所定のアプリケーションで作成されたデータを、他のアプリケーションでも簡便に再生できるようにすることを目的とする。
【０００８】
【課題を解決するための手段】
本発明の情報処理装置は、複数のページから構成されるコンテンツの第１のコンテンツデータから、１ページ毎の第１のコンテンツデータを切り出す切り出し手段と、切り出し手段により切り出された１ページ分の第１のコンテンツデータ毎に、ページの前後関係を識別するための情報を付加する付加手段と、付加手段により情報が付加された１ページ分の第１のコンテンツデータを所定の変換方式で第２のコンテンツデータに変換する変換手段と、所定のページから他のページへ表示が切り換えられることを動的に表現するためのデータを生成する生成手段と、変換手段により変換された第２のコンテンツデータと、生成手段により生成されたデータから構成される第３のコンテンツデータを作成する作成手段とを含むことを特徴とする。
【０００９】
前記変換手段の変換方式は、ＪＰＥＧであるようにすることができる。
【００１０】
前記生成手段により生成されるデータは、Ｆｌａｓｈ方式のデータであるようにすることができる。
【００１１】
前記作成手段により作成される第３のコンテンツデータは、Ｆｌａｓｈ方式のデータであるようにすることができる。
【００１２】
前記作成手段により作成された第３のコンテンツデータを電子メールで送信できるフォーマットに変換する第２の変換手段と、前記第２の変換手段により変換された第３のコンテンツデータを電子メールとして他の装置に送信する送信手段とをさらに含むようにすることができる。
【００１３】
前記作成手段により作成された前記第３のコンテンツデータを所定のサーバにアップロードするアップロード手段をさらに含むようにすることができる。
【００１４】
前記生成手段により生成されるデータは、ＤＶＤ記録再生装置で記録再生できるデータであり、前記作成手段により作成される第３のコンテンツデータは、ＤＶＤ記録再生装置で記録再生できるデータであるようにすることができる。
【００１５】
本発明の情報処理方法は、複数のページから構成されるコンテンツの第１のコンテンツデータから、１ページ毎の第１のコンテンツデータを切り出す切り出しステップと、切り出しステップの処理で切り出された１ページ分の第１のコンテンツデータ毎に、ページの前後関係を識別するための情報を付加する付加ステップと、付加ステップの処理で情報が付加された１ページ分の第１のコンテンツデータを所定の変換方式で第２のコンテンツデータに変換する変換ステップと、所定のページから他のページへ表示が切り換えられることを動的に表現するためのデータを生成する生成ステップと、変換ステップの処理で変換された第２のコンテンツデータと、生成ステップの処理で生成されたデータから構成される第３のコンテンツデータを作成する作成ステップとを含むことを特徴とする。
【００１６】
本発明のプログラムは、複数のページから構成されるコンテンツの第１のコンテンツデータから、１ページ毎の第１のコンテンツデータを切り出す切り出しステップと、切り出しステップの処理で切り出された１ページ分の第１のコンテンツデータ毎に、ページの前後関係を識別するための情報を付加する付加ステップと、付加ステップの処理で情報が付加された１ページ分の第１のコンテンツデータを所定の変換方式で第２のコンテンツデータに変換する変換ステップと、所定のページから他のページへ表示が切り換えられることを動的に表現するためのデータを生成する生成ステップと、変換ステップの処理で変換された第２のコンテンツデータと、生成ステップの処理で生成されたデータから構成される第３のコンテンツデータを作成する作成ステップとをコンピュータに実行させることを特徴とする。
【００１７】
本発明の情報処理方法および方法、並びにプログラムにおいては、コンテンツデータから、１ページを構成するコンテンツデータ毎に変換処理が行われ、変換処理が施されたコンテンツデータが、動的な表示がされるためのデータが生成され、これらのデータの集まりから１つの新たなデータが作成される。
【００１８】
【発明の実施の形態】
以下に、本発明の実施の形態について図面を参照して説明する。図１は、本発明の情報処理装置を適用したパーソナルコンピュータ（ＰＣ）を含む情報処理システムの一実施の形態の構成を示す図である。ネットワーク１は、インターネットなどの広域ネットワークやＬＡＮ（Ｌｏｃａｌ　Ａｒｅａ　Ｎｅｔｗｏｒｋ）などから構成されている。
【００１９】
ネットワーク１には、ＰＣ２−１、ＰＣ２−２、および画像管理サーバ３が接続されている。以下の説明において、ＰＣ２−１とＰＣ２−２を個々に区別する必要がない場合、単にＰＣ２と記述する。また、ここでは、説明の都合上、ＰＣ２−１とＰＣ２−２しか示さないが、ネットワーク１には、複数のＰＣ２が接続され、画像管理サーバ３も、同様に、複数接続されている。
【００２０】
図２は、ＰＣ２の内部構成例を示す図である。ＰＣ２のＣＰＵ（Ｃｅｎｔｒａｌ　Ｐｒｏｃｅｓｓｉｎｇ　Ｕｎｉｔ）１１は、ＲＯＭ（Ｒｅａｄ　Ｏｎｌｙ　Ｍｅｍｏｒｙ）１２に記憶されているプログラムに従って各種の処理を実行する。ＲＡＭ（Ｒａｎｄｏｍ　Ａｃｃｅｓｓ　Ｍｅｍｏｒｙ）１３には、ＣＰＵ１１が各種の処理を実行する上において必要なデータやプログラムなどが適宜記憶される。
【００２１】
入出力インターフェイス１５は、キーボードやマウスから構成される入力部１６が接続され、入力部１６に入力された信号をＣＰＵ１１に出力する。また、入出力インターフェイス１５には、ディスプレイやスピーカなどから構成される出力部１７も接続されている。
【００２２】
さらに、入出力インターフェイス１５には、ハードディスクなどから構成される記憶部１８、および、インターネットなどで構成されるネットワーク３を介して他の装置（例えば、画像管理サーバ３）とデータの授受を行う通信部１９も接続されている。ドライブ２０は、磁気ディスク３１、光ディスク３２、光磁気ディスク３３、半導体メモリ３４などの記録媒体からデータを読み出したり、データを書き込んだりするときに用いられる。
【００２３】
画像管理サーバ３も、基本的に、図２に示したＰＣ２の内部構成例と同様に構成することができるため、その図示および説明は省略する。
【００２４】
図３は、記憶部１８に記憶され、必要に応じ、ＲＡＭ１３に展開され、ＣＰＵ１１が処理を実行する際のもととなるソフトウェアの構成を示す図である。ＯＳ５１は、例えば、マイクロソフト社のＷｉｎｄｏｗｓ（登録商標）などである。ＯＳ５１が起動された状態で、起動され、所定の処理を実行するソフトウェアとして、ここでは、画像を処理する画像処理ソフトウェア５２と、電子メールに関わる処理を行うメール処理ソフトウェア５３が、記憶部１８にインストールされており、ユーザの起動の指示により、ＲＡＭ１３に展開されるとして以下の説明を行う。
【００２５】
ＯＳ５１が起動され、画像処理ソフトウェア５２が起動されることにより、ＰＣ２の出力部１７としてのディスプレイ上に表示される画面の一例を図４に示す。ディスプレイ７１上には、ＯＳ５１が起動されることにより、デスクトップ８０が表示される。そのデスクトップ８０上に、画像処理ソフトウェア５２が起動されることにより、その画像処理ソフトウェア５２に基づくウィンドウ８１が表示される。
【００２６】
画像処理ソフトウェア５２は、６つのアプリケーションから構成されている。なお、以下の説明においては、１つのソフトウェア内に、異なる処理を実行する複数のアプリケーションが存在し、各アプリケーション内に、異なる処理を実行する複数の機能が存在するとして説明する。
【００２７】
図５に詳細を示すに、画像処理ソフトウェア５２は、「写真を取り込む」アプリケーション９１、「写真を管理する」アプリケーション９２、「フォトアルバム」アプリケーション９３、「バインダーを開く」アプリケーション９４、「プリントスタジオ」アプリケーション９５、および、「このソフトの使い方」アプリケーション９６から構成されている。
【００２８】
これらのアプリケーションに対応した項目が、図４に示したように、ウィンドウ８１上に表示されている。図４に示した画面例では、各項目は円で示され、アプリケーション名（図５において、「」内に図示した名前）と、それぞれのアプリケーションで実行できることをイメージさせるような絵がそれぞれ記述されている。
【００２９】
「写真を取り込む」アプリケーション９１は、接続されたデジタルカメラなどから、そのデジタルカメラで撮像された画像データを画像処理ソフトウェア５２で処理できるように取り込むときに起動される。「写真を管理する」アプリケーション９２は、取り込まれて記憶されている画像データに基づく画像に対して、名前を付けたり、分類したりするといった処理を行うときに起動される。
【００３０】
「フォトアルバム」アプリケーション９３は、紙媒体のアルバムを擬似的に再現するアプリケーションであり、この「フォトアルバム」アプリケーション９３を用いると、例えば、アルバムの頁をめくっているかのように、写真を見ることができ、また、そのようなアルバムを簡便に作成するための処理を行えるアプリケーションである。
【００３１】
「バインダーを開く」アプリケーション９４は、例えば、料理のレシピなど、その料理の写真、材料や作り方のテキストなどから構成される頁の作成や、閲覧を行うことができるアプリケーションである。
【００３２】
「プリントスタジオ」アプリケーション９５は、写真を所望な形態でプリント（印刷）する際に起動されるアプリケーションである。「このソフトの使い方」アプリケーション９６は、画像処理ソフトウェア５２で行える処理はどのようなものであるか、操作の仕方など、わからないことがある時に起動されるアプリケーションである。
【００３３】
図４に示した画像例では、カーソル１０１が、「フォトアルバム」アプリケーション９３に対応する項目上に位置している。このようにカーソル１０１が位置しているアプリケーション（項目）は、他の項目と区別が付くように表示されるとともに、その選択されている項目を選択することにより（その選択されているアプリケーションにより）、実行できる処理などを記したメッセージが、例えばウィンドウ８１内の右側部分に表示される。
【００３４】
図４に示した状態から、「フォトアルバム」アプリケーション９３に対応する項目が選択され、起動が指示された場合、図４に示したウィンドウ８１の表示が、図６に示したようなウィンドウ１１１に切り換えられる。「フォトアルバム」アプリケーション９３が起動されることによりディスプレイ７１上に表示されるウィンドウ１１１の左側には、アルバムが収められている箱（擬似的な箱）の名称の一覧が表示され、その中からユーザが所望の箱を選択できるようになっているアルバム選択部１２１が設けられている。
【００３５】
ここでアルバムとは、紙媒体で提供されているアルバムと同じように、複数のページから構成された１冊の本であり、各ページには、複数の写真（画像）が貼り付けられているものである。画像処理ソフトウェア５２で実現されるアルバムは、このような紙媒体のアルバムを模したものである。また、ここでは、このような画像処理ソフトウェア５２で扱うデータをアルバムデータと称する。また、アルバムデータを、適宜、コンテンツデータとも称する。
【００３６】
アルバム選択部１２１に表示されている箱の中からユーザが選択した箱に収められているアルバムが、アルバム一覧表示部１２２に表示される。図６に示した例では、４つのアルバムが表示されている。表示されているのは、各アルバムの表示に当たる部分である。必要に応じ、スクロールバーが表示され、表示され切れていないアルバムを、そのスクロールバーを操作することにより参照できるようになっている。
【００３７】
ウィンドウ１１１の上側には、複数の選択項目としてのアイコンが表示されている。「アルバムを作る」アイコン１２３は、新たなアルバムを作成する際に操作される。「開く」アイコン１２４は、アルバム一覧表示部１２２に表示されているアルバム内から選択されたアルバムを開く（表示する）といった指示が出されるときに操作される。
【００３８】
「印刷」アイコン１２５は、アルバム一覧表示部１２２に表示されているアルバムから選択されたアルバムを印刷するといった指示が出されるときに操作される。「製本注文」アイコン１２６は、アルバム一覧表示部１２２に表示されているアルバムから選択されたアルバムを、業者に発注して紙媒体などのアルバムにするといった指示が出されるときに操作される。
【００３９】
「公開」アイコン１２７は、所定のサーバ（この場合、画像管理サーバ３）に自己のアルバムデータを記憶させるとき、既に記憶させているアルバムデータをアップロードさせるときなどに操作される。そのサーバに記憶されているアルバムデータに基づくアルバムは、所定のユーザ間で閲覧可能にされている。
【００４０】
「出力」アイコン１２８は、例えば、他のＰＣ２で所定のアルバムを参照したいときなどに、そのアルバムに関するデータを、他のＰＣ２でも（他のアプリケーションでも）参照できるフォーマット方式に変換したファイル（データ）を作成したいときに操作される。
【００４１】
「メール」アイコン１２９は、電子メールで所望のアルバムのアルバムデータを添付して送信したいときに操作される。「ＰＤＡ」アイコン１３０は、ＰＤＡ（Ｐｅｒｓｏｎａｌ　Ｄｉｇｉｔａｌ　Ａｓｓｉｓｔａｎｃｅ）などの端末に対して、所望のアルバムのアルバムデータを出力したいときに操作される。
【００４２】
ここで、例えば、「開く」アイコン１２４が操作されると、図７に示したようなウィンドウ１５１に、ウィンドウ１１１の表示が切り換えられる。アルバムを開くという処理（表示をするという処理）を実行するためのウィンドウ１５１には、選択されたアルバムの画像を表示する画像表示部１５２が設けられている。その画像表示部１５２の下側に設けられているページ表示部１５３は、画像表示部１５２に表示されている擬似的なアルバムの何ページ目を表示しているのかをユーザに認識させるために設けられている。
【００４３】
ウィンドウ１５１の上側には、複数のアイコンが設けられている。「最初の画面へ戻る」アイコン１５４は、図６に示した画面に戻る際に操作される。「プレビュー」アイコン１５５は、図７に示したように、画像を表示させるときに操作される。「ページ一覧」アイコン１５６は、このアルバムを構成する全てのページを一覧表示として、画像表示部１５２に表示させたいときに操作される。
【００４４】
「編集する」アイコン１５７は、アルバム内の画像に対して、エフェクトをかけたり、所定の形に切り取られたような画像にするといったような編集を行いたいときに操作される。「印刷」アイコン１５８は、アルバムを、画像表示部１５２に表示されているような状態で印刷したいとき、換言すれば、紙媒体のアルバムを作成したいときに操作される。「保存」アイコン１５９は、編集などを施したアルバムを保存（記憶）させたいときに操作される。
【００４５】
図７に示したように、プレビューの画面が、画像表示部１５２に表示されている状態のときで、カーソル１０１が、例えば、図７に示したようにアルバムの見開きのページの右側に位置しているときに、マウス（不図示）のクリックなどの操作（ページをめくれという指示を出すための操作）が行われると、図８に示したように、アニメーション（動画）で、ページがめくれる感じが表現される。
【００４６】
このように、紙媒体のアルバムなどと同様に、ページがめくれるときの、ページの動きをアニメーションで表現する（動的に表現する）ことにより、より、ユーザに、擬似的なアルバムではあるけれども、紙媒体のアルバムを参照しているかのような感覚を与えることが可能となる。ページがめくれる際、効果音が出力されるようにしても良い。なお、図８における矢印は、アニメーションであることを説明するために付したものであり、実際の画面上に表示されるわけではない。
【００４７】
次に、図６に示したようなウィンドウ１１１がディスプレイ７１上に表示されている状態において、「出力」アイコン１２８が操作されたときの画像処理ソフトウェア５２の処理について説明する。「出力」アイコン１２８が操作されると、図６に示したウィンドウ１１１の表示は、図９に示したようなウィンドウ１７１のように切り換えられる。
【００４８】
ウィンドウ１７１の上側には、処理の経過をユーザに認識させるための表示が行われる経過表示欄１７２が表示されている。経過表示欄１７２には、“種類を選ぶ”、“出力先を選ぶ”、“作成完了”という３つの経過があることが示されており、ユーザは、出力という処理を完了させるためには、３段階の手順をふめばよいことを直感的に理解することができる。
【００４９】
経過表示欄１７２の下側には、３つの選択項目が表示されている。「Ｆｌａｓｈ出力」項目１７３は、Ｆｌａｓｈ（商標）というフォーマット方式のアルバムデータのファイルを作成（出力）する際に操作される。「軽量パック」項目１７４は、アルバムデータを、画像は粗い画像になるが、容量が小さいファイルを作成したいときに操作される。「フルパック」項目１７５は、アルバムデータを、画質を落とすことなく１つのファイルを作成したいときに操作される。
【００５０】
Ｆｌａｓｈ形式のデータ（ファイル）は、マイクロソフト（商標）社が提供するインターネット用のブラウザであるＩｎｔｅｒｎｅｔ　Ｅｘｐｌｏｒｅ（商標）や、電子メールを扱うソフトウェアであるＯｕｔｌｏｏｋ（商標）により再生可能なデータ（ファイル）である。従って、画像処理ソフトウェア５２を用いなくても、Ｆｌａｓｈのフォーマット方式を扱えるＩｎｔｅｒｎｅｔ　ＥｘｐｌｏｒｅやＯｕｔｌｏｏｋを用いれば、画像処理ソフトウェア５２でアルバムを参照しているのと略同様の表示を楽しむことができる。
【００５１】
これに対して、「軽量パック」項目１７４や「フルパック」項目１７５が操作されることにより作成されるファイルは、画像処理ソフトウェア５２を用いなくては楽しむことができない。
【００５２】
よって、ユーザは、例えば、画像処理ソフトウェア５２を有していないユーザに対して、アルバムデータを提供したい場合、「Ｆｌａｓｈ出力」項目１７３を操作し、ファイルを作成すればよい。その他のときには、ユーザは、「軽量パック」項目１７４または「フルパック」項目１７５を操作し、ファイルを作成すればよい。「軽量パック」項目１７４または「フルパック」項目１７５が操作されることにより作成されたファイルを用いると、そのファイルのデータは、画像処理ソフトウェア５２で処理されるので、画像処理ソフトウェア５２で行える編集などの処理を行うことができる。
【００５３】
「Ｆｌａｓｈ出力」項目１７３、「軽量パック」項目１７４、または、「フルパック」項目１７５のうちの１つの項目が操作されると、“出力先を選ぶ”という手順に移り、図９に示したようなウィンドウ１７１は、図１０に示したようなウィンドウ１８１に、その表示が切り換えられる。図１０に示したウィンドウ１８１では、作成されるファイルを出力する先（記憶させる先）を指定する欄（“出力先フォルダ”という欄）と、出力されるファイルの名称を指定する欄（“出力ファイル”という欄）が設けられている。
【００５４】
ウィンドウ１８１内に表示されている“作成開始”というボタンが操作されると、図１０に示したようなウィンドウ１８２は、図１１に示したようなウィンドウ１８２に、その表示が切り換えられる。図１１に示したウィンドウ１８２には、作成（出力）されたファイルが記憶されている先のパスが表示される欄（“出力ファイル”という欄）と、作成されたファイルの大きさが表示される欄（“ファイルサイズ”という欄）が設けられている。
【００５５】
図１１に示したウィンドウ１８２内に表示されている“プレビュー画面へ戻る”というボタンが操作されると、図６に示したような画面に、ウィンドウ１８２の表示が切り換えられる。
【００５６】
このように、アルバムデータのファイルが作成される際、そのウィンドウの表示は、上述したように順次切り換えられるわけだが、このような表示に関わる処理のバックグラウンドで行われる、ファイルの作成に関わる処理について説明する。ここでは、「Ｆｌａｓｈ」項目１７３（図９）が操作されたときの処理、すなわち、Ｆｌａｓｈのフォーマット方式に、アルバムデータが変換される際の処理について説明する。
【００５７】
アルバムデータというのは、例えば、図７の画像表示部１５２に表示したような、擬似的なアルバムの画像を表示させるためのデータである。このようなアルバムデータは、画像処理ソフトウェア５２のフォーマット（以下、適宜、フォーマットＡと称する）により作成されている。フォーマットＡのアルバムデータをＦｌａｓｈのフォーマット方式に変換する際の処理は、例えば、図１２に示したようなフローチャートの処理に従って行われる。
【００５８】
図１２に示したフローチャートに基づく処理は、画像処理ソフトウェア５２（図３）により行われる。ステップＳ１１において、ページの切り出しが行われる。ステップＳ１１の処理について、図１３を参照して説明するに、アルバムデータは、上述したように、１冊の擬似的なアルバムを作成するためのデータである。アルバムというのは、複数の画像が貼り付けられた複数のページから構成されている。
【００５９】
そのような複数のページのうちの所定のページを表示させた状態が、図７に示したような状態である。図７に示した状態は、見開いた状態のときであり、右側のページと左側のページで、それぞれ１ページであると換算する。従って、図７に示したように見開きの状態のときには２ページが同時に表示されていることになる。
【００６０】
このような所定のページを表示させるための１ページ分のデータを、アルバムデータから抽出する。イメージとしては、図１３に示したように、アルバムから１ページづつ切り取り出すような感じである（アルバムデータから１ページ分づつデータを抽出するといった感じである）。
【００６１】
このステップＳ１１において行われるページの切り出しは、画像が貼り付けられているページは勿論であるが、アルバムの表紙や裏表紙といったページも切り出しの対象とされるようにしても良い。
【００６２】
ステップＳ１１において、切り出されたページのデータに対して、ステップＳ１２において、ＩＤが割り振られる。図１２によるフォーマットの変換処理は、最終的には、変換前のアルバムデータにより表示されるアルバムと同じように表示されるようなデータに変換するために行われる。換言すれば、元のアルバムと同じページの順番で表示されるようにするためのデータに変換される。従って、切り出されたページが、そのページ毎の順番を識別できるようなＩＤを割り振る（情報を付加する）必要がある。そのようなＩＤが、ステップＳ１２において、切り出されたページ毎に割り振られる。
【００６３】
ステップＳ１３において、切り出されたページ毎に、ＪＰＥＧ（Ｊｏｉｎｔ　Ｐｈｏｔｏｇｒａｐｈｉｃ　Ｅｘｐｅｒｔｓ　Ｇｒｏｕｐ）方式のフォーマット（以下、変換されたデータを、適宜、ＪＰＥＧデータと称する）に変換される。そして、ステップＳ１４において、Ｆｌａｓｈのデータが作成される。ステップＳ１４において作成されるＦｌａｓｈのデータとは、切り出されページを１ページづつめくる際に、その“めくる”という動作を表現するためのアニメーション（図７、図８を参照して説明したこと）を実現するためのデータ（動的な表現を可能にするためのデータ）であり、Ｆｌａｓｈのフォーマット方式で扱えるデータである。
【００６４】
ステップＳ１３までの処理で、所定のフォーマット方式のアルバムデータが、１ページ毎のＪＰＥＧ方式のデータに変換されたわけだが、このまま、ＪＰＥＧ方式のデータを再生したのでは、１ページ毎に、画像が切り替わるだけ（順次表示されるだけ）になってしまう。そこで、図８を参照して説明したように、ページをめくるときに、そのことをユーザに実感させるようなアニメーションを行うためのデータ（動的な表示を行うためのデータ）を、ステップＳ１４において、Ｆｌａｓｈで使用可能な関数（プログラム）（以下、適宜、Ｆｌａｓｈデータと称する）として作成する。
【００６５】
ステップＳ１５において、作成されたＪＰＥＧデータと、Ｆｌａｓｈデータで構成されたＦｌａｓｈのフォーマット方式によるファイル（以下、適宜、Ｆｌａｓｈファイルと称する）が作成される。この作成されるファイル（コンテンツデータ）のイメージを図１４に示す。図１４に示したように、Ｆｌａｓｈファイルは、まず、複数のＪＰＥＧデータ（少なくとも、変換前のアルバムデータを再生したときに表示されるページ数に対応する数だけ存在する）が含まれる。
【００６６】
各ＪＰＥＧデータには、それぞれそのＪＰＥＧデータが何ページ目のデータであるのかを識別するためのＩＤが付加されている。そして、Ｆｌａｓｈファイルには、このようなＪＰＥＧデータにより表示される静止画像を、動画像のように見せるためのＦｌａｓｈデータが含まれている。
【００６７】
このようにして、画像処理ソフトウェア５２独自のフォーマット方式のアルバムデータが、ＪＰＥＧやＦｌａｓｈといった、比較的広く用いられている（汎用の）フォーマット方式のデータ（ファイル）に変換される。このように変換されたＦｌａｓｈファイルは、例えば、Ｉｎｔｅｒｎｅｔ　Ｅｘｐｌｏｒｅ（商標）などで閲覧することが可能であり、その表示は、図７や図８を参照して説明したように、あたかも、紙媒体のアルバムを閲覧しているような感覚をユーザに与えるアニメーション付きの表示である。
【００６８】
次に、図６に示したウィンドウ１１１内に表示されている「公開」アイコン１２７が操作されたときに、画像処理ソフトウェア５２が対応する処理を行った結果、ディスプレイ７１上に表示される画面について説明する。「公開」アイコン１２７が操作されると、図１５に示したようなウィンドウ１９１に表示が切り換えられる。ウィンドウ１９１の上側には、経過表示欄１９２が設けられている。
【００６９】
経過表示欄１９２は、“アップロード開始”と“アップロード完了”という２つの状態を示すテキストが表示されるようになっており、その時点での状態が、どちらの状態であるのかを、ユーザに認識させることができるようになっている。
【００７０】
ウィンドウ１９１内には、「画像管理サーバとは」ボタン１９３と、「アップロード開始」ボタン１９４が設けられている。「公開」アイコン１２６（図６）が操作されるのは、画像管理サーバ３（図１）に、アルバムデータを記憶させる、記憶されているアルバムデータを更新（アップロード）させるなどのときである。
【００７１】
従って、「公開」アイコン１２６が操作された結果、表示されるウィンドウ１９１には、画像管理サーバ３についての認識がないようなユーザに対して、画像管理サーバ３についての説明を表示させるための「画像管理サーバとは」ボタン１９３が設けられている。例えば、画像管理サーバ３としては、ＩｍａｇｅＳｔａｔｉｏｎ（商標）を用いることが可能である。このＩｍａｇｅＳｔａｔｉｏｎは、画像を管理し、その管理している画像を配信するのに適したサーバである。
【００７２】
「アップロード開始」ボタン１９４は、アップロード画像管理サーバ３に、上述したようなことを開始させるときに操作される。「アップロード開始」ボタン１９４が操作されると、画像管理サーバ３との通信が開始される。ＰＣ２と画像管理サーバ３との間で行われるデータの授受に関する処理について、図１６のフローチャートを参照して説明する。
【００７３】
ＰＣ２（画像処理ソフトウェア５２）は、「アップロード開始」ボタン１９４が操作されたと判断すると、ステップＳ３１において、Ｆｌａｓｈファイルの作成を開始する。このＦｌａｓｈファイルの作成は、図１２のフローチャートを参照して説明したようにして行われるので、ここでは、その説明を省略する。
【００７４】
ＰＣ２は、Ｆｌａｓｈファイルの作成の処理を行うと共に、ステップＳ３２において、画像管理サーバ３との通信を開始する。ＰＣ２は、通信部１９（図２）により、ネットワーク１を介して画像管理サーバ３と接続し、通信を開始する。画像管理サーバ３は、ＰＣ２が接続を開始したと判断すると、ステップＳ４１において、ログイン画面のデータの送付を開始する。
【００７５】
ＰＣ２は、受信したログイン画面のデータに基づき、出力部１７としてのディスプレイ７１上にログイン画面（不図示）を表示させる。ユーザは、そのログイン画面を参照して、所定の情報の入力を行う。所定の情報とは、例えば、ユーザ名やパスワードである。ここでは、ユーザは、既に画像管理サーバ３に登録済みであるとして説明を続けるが、仮に登録がされていなければ、登録するための処理がステップＳ３３以降の処理として行われる。
【００７６】
ステップＳ３３において、パスワードなどの必要事項が入力され、ユーザが所定のボタンを操作すると、その情報は、画像管理サーバ３に対して送信される。画像管理サーバ３は、ステップＳ４２において、受信したパスワードなどの情報を基に、認証処理を実行する。認証処理とは、ＰＣ２のユーザは、確かに登録されているユーザであると確認するための処理である。認証処理が終了されると、その結果が、ＰＣ２に対して送信される。
【００７７】
登録済みのユーザである場合、ＰＣ２に対して送信される認証結果は、認証が正しくできたので、アップロードなどの処理を許可するというものである。登録済みのユーザではないなど、認証処理が失敗に終わった場合、そのことをユーザに認識させるメッセージや、登録するための画面のデータが、認証結果としてＰＣ２に送信され、ＰＣ２側では、認証結果に対応するメッセージや新規の登録を受け付けるための画面をディスプレイ７１上に表示させる。
【００７８】
ステップＳ３４において、ＰＣ２は、受信した情報から、アップロードなどの処理が許可されたと判断すると、ステップＳ３１において作成したＦｌａｓｈファイルの容量に関する情報を画像管理サーバ３に対して送信する。このような情報を受信した画像管理サーバ３は、ステップＳ４３において、そのユーザに割り当てられている記憶容量内で、新たに記憶するＦｌａｓｈファイルを記憶できるか否かを判断する。
【００７９】
画像管理サーバ３は、１ユーザに対して、無制限に記憶容量を割り当てているわけではなく、一定の制限、例えば、５０Ｍｂｙｔｅなどの制限を設けている。そこで、ステップＳ４３のような処理が行われる。ステップＳ４３における判断の結果は、ステップＳ４４において、ＰＣ２に対して送信される。ＰＣ２側では、ステップＳ３５において、受信した判断結果をユーザに認識させるための画面がディスプレイ７１上表示される。
【００８０】
例えば、判断結果が、新たなＦｌａｓｈファイルを記憶するだけの容量は存在していないと判断された場合、図１７Ａに示したようなウィンドウ２０１が表示される。ウィンドウ２０１に示したようなメッセージが表示されることにより、ユーザは、画像管理サーバ３に既に記憶させているＦｌａｓｈファイルを削除しなければ、新たなＦｌａｓｈファイルを記憶させられないことを認識し、そのような処理を実行する。
【００８１】
一方、判断結果が、新たなＦｌａｓｈファイルを記憶するだけの容量が存在していると判断された場合、図１７Ｂに示すようなウィンドウ２０２が表示される。ウィンドウ２０２に示したようなメッセージおよびゲージが表示されることにより、ユーザは、Ｆｌａｓｈファイルの更新が画像管理サーバ３において行われていることを認識することができる。
【００８２】
図１７Ｂに示したようなウィンドウ２０２が、ディスプレイ７１上に表示される場合、新たなＦｌａｓｈファイルの記憶が許可されたときであるので、ＰＣ２側では、ステップＳ３６において、ステップＳ３１において作成されたＦｌａｓｈファイルのデータを画像管理サーバ３に送信する。この送信の経過にあわせて、図１７Ｂに示したウィンドウ２０２のゲージが進行する。
【００８３】
Ｆｌａｓｈファイルのデータを受信する画像管理サーバ３側では、ステップＳ４５において、新たなＦｌａｓｈファイルに対する更新の処理を実行する。この際、Ｆｌａｓｈファイルに付けられた名前が既に記憶されているＦｌａｓｈファイルと同一のものである場合、上書きする（アップデートする）ようにし、異なるものである場合、追加記憶するといったように、処理が分けられるようにしても良い。
【００８４】
勿論、このように処理を分ける場合、ステップＳ４３において行われる容量の制限の判断処理においても、上書きするときと追加記憶するときを考慮して判断が実行されるようにする。
【００８５】
画像管理サーバ３は、更新処理を終了すると、ＰＣ２との通信に関わる処理を終了する。
【００８６】
ＰＣ２側では、ステップＳ３６におけるＦｌａｓｈファイルの送信処理が終了されると、例えば、図１８に示したようなウィンドウ２１１に、ディスプレイ７１上の表示が切り換えられる。図１８に示したウィンドウ２１１は、ユーザにアップロードの処理が正常に完了したことを認識させるためのメッセージが表示されるとともに、経過表示欄１９２の表示も、“アップロード完了”というテキストが、ユーザに認識される状態に表示が変更される。
【００８７】
図１８に示したウィンドウ２１１において、「スタート画面へ戻る」ボタン２１２が操作されると、図６に示したような画面に戻る。
【００８８】
このようにして画像管理サーバ３に記憶され、管理されているＦｌａｓｈファイルは、他のユーザが閲覧することが可能な状態にされている。Ｆｌａｓｈファイルなので、他のユーザは、ネットワーク１に接続することができるソフトウェアを用いていれば、通常、閲覧可能である。
【００８９】
このように、所定のサーバで管理されている画像のデータを、ＰＣ２のユーザは、簡便に、例えば、マウスのクリックなどの操作だけでアップロードという処理を実行させることが可能である。また、そのアップロードされるデータは、比較的、汎用なデータ方式に変換されているため、画像処理ソフトウェア５２を有していないユーザであっても、アルバムデータを楽しむことが可能となる。
【００９０】
図６に示したようなウィンドウ１１１内の「メール」アイコン１２９が操作されたときに画像処理ソフトウェア５２が行う処理について、図１９のフローチャートを参照して説明する。画像処理ソフトウェア５２は、「メール」アイコン１２９が操作されたと判断した場合、ステップＳ６１において、メール処理ソフトウェア５３（図３）を起動させる。
【００９１】
さらに、そのメール処理ソフトウェア５３の１つの機能である、新規メール作成の機能を起動させ、その新規メールを作成するための画面をディスプレイ７１上に、ウィンドウ１１１とは別ウィンドウとして表示させる。そのようなメール作成のための処理が行われている一方で、ステップＳ６２において、画像処理ソフトウェア５２は、Ｆｌａｓｈファイルの作成を行う。
【００９２】
ステップＳ６２において行われるＦｌａｓｈファイルの作成は、「メール」アイコン１２９が操作された時点で、選択されていたアルバムに対応するアルバムデータである。図６に示したウィンドウ１１１の状態で、「メール」アイコン１２９が操作された場合、“アルバムＢ”が選択されている状態なので、“アルバムＢ”に対応するアルバムデータが、Ｆｌａｓｈファイルへ変換される。
【００９３】
ステップＳ６２において行われるＦｌａｓｈファイルの作成の処理は、図１２に示したフローチャートの処理と同様に行われるので、ここでは、その説明を省略する。
【００９４】
ステップＳ６３において、メールの作成が行われる。ステップＳ６３において作成されるメールは、例えば、図２０に示すようなウィンドウ２３１が参照されることにより行われる。図２０に示すようなウィンドウ２３１は、ステップＳ６１の処理で、メール処理ソフトウェア５３が起動され、さらに、そのうちの機能の１つである新規メール作成のための機能が起動されたときにディスプレイ７１上に表示される。そのようなウィンドウ２３１には、ステップＳ６２における処理で作成されたＦｌａｓｈファイルが添付ファイルとして、添付された状態とされている。
【００９５】
このように、ユーザが選択したアルバムに対応するアルバムデータは、Ｆｌａｓｈファイルに変換され、添付ファイルとして、電子メールに添付される。ユーザは、図２０に示したようなウィンドウ２３１において、テキスト表示部２３２にテキストを入力することができるようになされている。
【００９６】
また、ウィンドウ２３１には、プレビューの機能が選択されているとき、テキスト表示部２３２の下側に添付ファイルとして添付するアルバムデータに基づくアルバムを表示するアルバム表示部２３３が設けられている。このアルバム表示部２３３に表示されるアルバムを閲覧することにより、添付されて送信されるＦｌａｓｈファイルのアルバムが、どのようにメールを送信した相手方で閲覧されるのかを、予め参照することができるようになっている。
【００９７】
ステップＳ６３において作成されたメールは、ユーザが送信という指示（操作）を行うことにより、ステップＳ６４の処理として、送信される。送信される際、電子メールとして送信できる方式のフォーマットに変換されて送信される。
【００９８】
例えば、ＰＣ２−１からＰＣ２−２に対して、メールが送信される場合、一旦、図示されていないメールサーバに送信される。そして、ＰＣ２−２が、そのメールサーバにアクセスした時点で、ＰＣ２−１からのメールを、ＰＣ２−２は受信する。
【００９９】
このようにして、ＰＣ２−２に受信されたメールの内容が、ＰＣ２−２のディスプレイ７１’（メールの送信元であるＰＣ２−１のディスプレイ７１と区別するために、ダッシュを付けて記す）に表示される画面を、図２１に示す。
【０１００】
図２１に示すように、ＰＣ２−２のディスプレイ７１’上には、メールを閲覧するためのウィンドウ２５１が表示される。このウィンドウ２５１には、プレビュー画面２５２が設けられており、そのプレビュー画面２５２には、図２０に示したアルバム表示部２３３に表示されていたアルバムが、同等の表示で表示される。
【０１０１】
図には示さないが、プレビュー画面２５２に表示されているアルバムのページ上に、カーソルが位置している状態で、マウスのクリックなど、ページをめくるという指示を示す操作が行われると、図７や図８を参照して説明したように、ページがめくれるということをユーザに認識させるようなアニメーションが行われる。
【０１０２】
このようなアニメーションは、Ｆｌａｓｈファイルに、Ｆｌａｓｈデータ（図１４）が含まれることにより実現される。
【０１０３】
このように、ユーザは、所望の他のユーザに対して、自分が作成したアルバムのアルバムデータを、簡便に、例えば、マウスのクリックなどの操作だけで、メールに添付して送信することができる。また、そのようなメールを受信した側のユーザにおいても、簡便に、受信したアルバムデータに基づくアルバムを閲覧することが可能となる。さらに、そのアルバムは、送信者が意図したように表示され、さらに、その表示は、アニメーションが含まれるものであるようにすることができる。
【０１０４】
上述したように、所定のフォーマット方式のアルバムデータを、１ページ毎のデータに分割し、その１ページ分のデータをＪＰＥＧ方式で圧縮し、さらにアニメーションの表示を行うためのＦｌａｓｈデータを作成し、それらのＪＰＥＧデータと作成されたＦｌａｓｈデータとで、ひとまとまりの１つのＦｌａｓｈファイルを作成することにより、同一のソフトウェアを有していないユーザ同士でも、アルバムデータのやりとりを行うことを可能としている。
【０１０５】
上述した実施の形態においては、Ｆｌａｓｈファイルに変換するとしたが、他のフォーマット方式のファイルに変換しても良い。また、圧縮には、ＪＰＥＧ以外の圧縮方式を用いても良い。
【０１０６】
本発明をさらに、ＤＶＤ（Ｄｉｇｉｔａｌ　Ｖｅｒｓａｔｉｌｅ　Ｄｉｓｃ）など、所定の記録媒体も記録できる所定のフォーマットのデータに変換するようにしても良い。換言すれば、ＤＶＤ記録再生装置で、記録又は再生できるフォーマットのデータに変換するようにしても良い。例えば、図２２に示したように、「ＤＶＤ」アイコン３０１を用意し、その「ＤＶＤ」アイコン３０１が操作されると、ＤＶＤプレーヤ（不図示）で再生可能なフォーマット方式に、アルバムデータが変換されるようにしても良い。
【０１０７】
「ＤＶＤ」アイコン３０１が設けられ、その「ＤＶＤ」アイコン３０１が操作された場合、画像処理ソフトウェア５２は、図２３に示したフォーマットの処理を実行する。図２２に示したような状態で、「ＤＶＤ」アイコン３０１が操作された場合、“アルバムＢ”が選択されている状態であり、その“アルバムＢ”のアルバムデータが、ＤＶＤのフォーマット方式に変換されるように指示されたことになる。
【０１０８】
従って、図２３に示したステップＳ８１以降における処理は、“アルバムＢ”に対応するアルバムデータが処理対象とされる。ステップＳ８１乃至Ｓ８３の処理は、図１２のステップＳ１１乃至Ｓ１３の処理と同様であるので、その説明は省略する。すなわち、ＤＶＤのフォーマット方式に変換される場合でも、まず、アルバムから、１ページ毎の切り出しが行われ、その切り出されたページ毎に、圧縮の処理が行われる。
【０１０９】
ステップＳ８４において、ＤＶＤデータの作成が行われる。このステップＳ８４におけるＤＶＤデータの作成とは、図１２のフローチャートのステップＳ１４におけるＦｌａｓｈデータの作成の処理と略同様の処理である。
【０１１０】
すなわち、ステップＳ８４においては、アルバムのページがめくられる際のアニメーション表示を行うためのデータが、ＤＶＤプレーヤなどで再生できる方式のフォーマットのデータで作成される。このようにして作成されたＤＶＤデータと、ＪＰＥＧ方式で圧縮されたデータは、ステップＳ８５において、１つのＤＶＤファイルとされる。
【０１１１】
図示はしないが、作成されるＤＶＤファイルは、図１４に示したＦｌａｓｈデータを、ＤＶＤデータに置き換えたものとされている。
【０１１２】
このようにしてＤＶＤのフォーマット方式に変換されたアルバムデータは、ＤＶＤに記録されても良いし、テレビジョン受像機（不図示）に出力され、そのテレビジョン受像機により再生されるようにしても良い。
【０１１３】
ＤＶＤのフォーマット方式に、画像処理ソフトウェア５２で作成されたアルバムデータを変換することにより、テレビジョン受像機など、汎用の装置で再生することが可能となり、画像処理ソフトウェア５２を有していないユーザや、画像処理ソフトウェア５２を扱うＰＣ２を用いていないユーザに対しても、アルバムデータを提供し、楽しませることが可能となる。
【０１１４】
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１５】
記録媒体は、図２に示すように、パーソナルコンピュータ（ＰＣ２）とは別に、ユーザにプログラムを提供するために配布される、プログラムが記録されている磁気ディスク３１（フレキシブルディスクを含む）、光ディスク３２（ＣＤ−ＲＯＭ（Ｃｏｍｐａｃｔ　Ｄｉｓｃ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｃ）を含む）、光磁気ディスク３３（ＭＤ（Ｍｉｎｉ−Ｄｉｓｃ）（登録商標）を含む）、若しくは半導体メモリ３４などよりなるパッケージメディアにより構成されるだけでなく、コンピュータに予め組み込まれた状態でユーザに提供される、プログラムが記憶されているＲＯＭ１２や記憶部１８が含まれるハードディスクなどで構成される。
【０１１６】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１１７】
また、本明細書において、システムとは、複数の装置により構成される装置全体を表すものである。
【０１１８】
【発明の効果】
本発明の情報処理装置および方法、並びにプログラムによれば、所定のフォーマット形式のデータを他のフォーマット形式のデータに変換することができる。
【０１１９】
また、本発明の情報処理装置および方法、並びにプログラムによれば、変換前のデータから得られる表示の効果と、変換後に得らる表示の効果が、略同一のものとすることができる。
【０１２０】
さらに、変換されたデータは、電子メールなどで送信したり、サーバなどにアップロードすることができ、その操作は、ユーザに負担をかけない簡便な操作で行える。
【図面の簡単な説明】
【図１】本発明の情報処理装置を含む情報処理システムの一実施の形態の構成を示す図である。
【図２】ＰＣの内部構成例を示す図である。
【図３】ソフトウェアの構成例を示す図である。
【図４】ディスプレイ上に表示される画面の一例を示す図である。
【図５】画像処理ソフトウェアの構成について説明するための図である。
【図６】ディスプレイに表示される画面の一例を示す図である。
【図７】ディスプレイに表示される画面の一例を示す図である。
【図８】ディスプレイに表示される画面の一例を示す図である。
【図９】ディスプレイに表示される画面の一例を示す図である。
【図１０】ディスプレイに表示される画面の一例を示す図である。
【図１１】ディスプレイに表示される画面の一例を示す図である。
【図１２】フォーマットの変換処理について説明するためのフローチャートである。
【図１３】ページの切り出しについて説明するための図である。
【図１４】Ｆｌａｓｈファイルについて説明するための図である。
【図１５】ディスプレイに表示される画面の一例を示す図である。
【図１６】アップロードに関わる処理について説明するためのフローチャートである。
【図１７】ディスプレイに表示される画面の一例を示す図である。
【図１８】ディスプレイに表示される画面の一例を示す図である。
【図１９】メール送信の処理について説明するためのフローチャートである。
【図２０】ディスプレイに表示される画面の一例を示す図である。
【図２１】ディスプレイに表示される画面の一例を示す図である。
【図２２】ディスプレイに表示される画面の一例を示す図である。
【図２３】ＤＶＤのフォーマット方式に変換する処理について説明するためのフローチャートである。
【符号の説明】
１　ネットワーク，　２　ＰＣ，　３　画像管理サーバ，　５１　ＯＳ，　５２　画像処理ソフトウェア，　７０　ディスプレイ，　８０　デスクトップ，　１８１　ウィンドウ，　１０１　カーソル
【図１】
2004104360.tif 000003
【図２】
2004104360.tif 000004
【図３】
2004104360.tif 000005
【図４】
2004104360.tif 000006
【図５】
2004104360.tif 000007
【図６】
2004104360.tif 000008
【図７】
2004104360.tif 000009
【図８】
2004104360.tif 000010
【図９】
2004104360.tif 000011
【図１０】
2004104360.tif 000012
【図１１】
2004104360.tif 000013
【図１２】
2004104360.tif 000014
【図１３】
2004104360.tif 000015
【図１４】
2004104360.tif 000016
【図１５】
2004104360.tif 000017
【図１６】
2004104360.tif 000018
【図１７】
2004104360.tif 000019
【図１８】
2004104360.tif 000020
【図１９】
2004104360.tif 000021
【図２０】
2004104360.tif 000022
【図２１】
2004104360.tif 000023
【図２２】
2004104360.tif 000024
【図２３】
2004104360.tif 000025